(57)【要約】      （修正有）【課題】故障や事故時にトランクを開けて緊急事態を後続車両に迅速正確に通知させると同時に、方向表示によって走行車線を指示できる自動車通知情報板を提供する。【解決手段】ブロック状であって、前面が開口される収容空間を備え、周りに固定ブラケット１１２が設けられたケーシング１１０と、ケーシングの開口に配置され、ケーシングから外部に広がるように開閉可能に設けられ、広がった状態で方向表示のための図形及び文字の表出が可能となるＬＥＤモジュールが備えられた通知板１２０と、通知板に図形及び文字が点滅するように無線入力できる入力キーパッドと、を含み、図形及び文字は、「矢印形状」の図形とともに、一側に「事故」あるいは「故障」の文字が点滅するように表出され、通知板は、少なくとも２つ以上の通知板体が折りたたみ可能にヒンジで結合されている。【選択図】図３
0003211747.tif 000002
【実用新案登録請求の範囲】
【請求項１】
ブロック状であって、前面が開口される収容空間を備えるとともに、周りに沿って固定ブラケットが設けられたケーシングと、
前記ケーシングの開口に配置され、前記収容空間に備えられる通知板であって、前記ケーシングから外部に広がるように開閉可能に設けられ、広がった状態で自動車のバッテリーから電源の印加を受けて方向表示のための図形及び文字の表出が可能となるＬＥＤモジュールが備えられた前記通知板と、
前記通知板に図形及び文字が点滅するように表出され得る内容を入力することができる入力キーパッドと、を含み、
前記通知板から表出される図形及び文字は、
方向を指示できるように「矢印形状」の図形が左側あるいは右側を指すように表出されるとともに、前記「矢印形状」の図形一側に「事故」あるいは「故障」のいずれかの文字が０．５秒の周期で点滅するように表出され、外部から見た時、注目を集めることができるようにして、緊急事態を後続車両の運転者に通知させ、
前記通知板は、
前記ケーシングの収容空間に収容できるとともに、広げることができるように少なくとも２つ以上の通知板体が折りたたみ可能にヒンジで結合され、
前記ヒンジで結合される折りたたみ部位には、係止部が形成され、２つ以上の通知板体が広がった状態で係止部が互いに接触して広がった状態を維持するようにすることを特徴とする、自動車通知情報板。
【請求項２】
前記ケーシングの収容空間に前記通知板が折りたたまれて収容された状態を維持するように通知板をロックすることができるロック部が備えられ、前記ロック部を解除して前記通知板が広がるように開放することができる操作ボタンが備えられ、
前記操作ボタンは、前記ロック部に隣接するように備えられて直接ロック部の解除が操作される、あるいは車両の運転席の付近に備えられて無線あるいは有線を介してロック部の解除が操作されることを特徴とする、請求項１に記載の自動車通知情報板。
【請求項３】
前記ケーシングの内部には、
後続車両に無線で事故か否かを通知させることができる無線通信部を備え、
前記無線通信部は、
後続車両を検出して、ラジオ放送を通じて後続車両に緊急事態を伝達すると同時に、警告命令を出力する第１デバイスと、
前記第１デバイスから無線通信を介して警告命令の伝達を受けて後続車両が接近中であることを警告する第２デバイスと、からなり、
前記第１デバイスは、
後続車両を検出する車両検出モジュールと、ラジオ放送で事故の事実を伝達するラジオ送出部と、第２デバイスに警告命令を伝達する無線送信部と、前記車両検出モジュールを介して後続車両を検出し、前記ラジオ送出部を通じてラジオ放送で後続車両に事故の事実を伝達し、前記警告命令を無線送信部を通じて第２デバイスに伝達する第１制御部と、を含み、
前記車両検出モジュールは、
電磁波を放射する送信アンテナと、前記送信アンテナから放射され、前記後続車両によって反射した電磁波を受信する受信アンテナと、前記送信アンテナを介して放射され、前記受信アンテナを介して受信された電磁波を信号処理して後続車両に対する検出情報を生成する検出部と、からなり、
前記第２デバイスは、
前記第１デバイスから警告命令を受信する無線受信部と、後続車両が接近中であることを警告する警告出力部と、前記第１デバイスから無線通信で警告命令の伝達を受けると、警告出力部を制御して、後続車両が接近中であることを警告する第２制御部と、を含み、
前記警告出力部は、音声あるいは通知板を介してメッセージが表出されることを特徴とする、請求項１に記載の自動車通知情報板。
【請求項４】
前記検出情報は、
後続車両との距離及び後続車両の速度を含むことを特徴とする、請求項３に記載の自動車通知情報板。
【請求項５】
前記第１制御部は、
前記検出情報を前記ラジオ送出部を介して前記後続車両に伝達して後続車両に事故の事実を伝達することを特徴とする、請求項３に記載の自動車通知情報板。
【考案の詳細な説明】
【技術分野】
【０００１】
本考案は、自動車通知情報板に関し、より詳細には、自動車の故障や事故時に自動車のトランクを開けて方向表示のための図形及び文字などを様々に表出できるようにして緊急事態を後続車両の運転者に迅速正確に通知させると同時に、方向標識によって後続車両が変更して走行すべき車線を指示することによって、後続車両の運転者がより安全且つ迅速に緊急事態に対処できるようにした自動車通知情報板に関する。
【背景技術】
【０００２】
一般的に、車両が道路上を走行中に故障や事故などによって正常な走行が不可能である場合、車両の運転者は、車両後方に緊急三角表示板を迅速に設けて、後続車両の運転者にその状況をあらかじめ通知させることによって、また他の事故の発生を防止するようにしなければならないし、現在、このような緊急三角表示板を車両に携帯するようにすることを義務事項として規定している。
【０００３】
このような従来の緊急三角表示板は、車両から１５０〜２００ｍ程度離れた後方に設けるのが一般的であるが、これは煩雑で不便であるのみならず、夜間や雨天、霧などの状況によって視界確保が困難な場合には、緊急三角表示板を設置するために移動中に後続車両によって事故にあうこともありうることから、設置時の危険性の問題が絶えず提起されてきた。
【０００４】
また、従来の緊急三角表示板は、三角表示板に付着された反射シートを介する光の反射によってのみ、後続車両の運転者に識別され得ることから、夜間や雨天時には、その識別能が著しく低下する問題点も指摘されてきた。
【０００５】
このような問題点などを解決するために、韓国特許公開番号第１０−２００６−０００５８０２号に“自動車のトランクリッドに固定設けられた点滅式緊急三角表示板の構造”が開示されており、これは緊急三角表示板が車両のトランクリッドに固定して設けられ、緊急三角表示板に備えられたランプが車両に設けられたリアコンビネーションランプ内の緊急ランプと同期化され、車両の蓄電池から供給される電源を用いて発光され得る。
【０００６】
しかし、前記開示された緊急三角表示板は、三角表示板から発光するランプを介して緊急事態のみを通知させるのみであり、後続車両が変更して走行すべき車線に対しては、どのような指示もしないので、後続車両の運転者がより安全且つ迅速に緊急事態に対処するのに限界があるといえる。
【０００７】
また、韓国実用新案登録番号第２０−０１６７０６３号に“安全表示風船”が開示されており、これは三角錐形状で風船の内部にガスを注入したり、口を通した息で空気を吹き込んで風船を膨らませてトランクやその他の位置に吊り下げて遠方からでも容易に注意表示を察知できるようにしたものであって、風船の内部にガスを注入するために、別個のガスボンベとガス注入器などが備えられる必要があるとの問題点がある。
【先行技術文献】
【特許文献】
【０００８】
【特許文献１】韓国特許公開番号第１０−２００６−０００５８０２号、自動車のトランクリッドに固定設けられた点滅式緊急三角表示板の構造。
【０００９】
【特許文献２】韓国実用新案登録番号第２０−０１６７０６３号、安全表示風船。
【考案の概要】
【考案が解決しようとする課題】
【００１０】
本考案は、前記の従来技術の問題点を解決するために案出されたものであり、本考案の目的は、自動車付着用安全用品であって、自動車の故障や事故時に自動車のトランクを開けて方向表示のための図形及び文字などを様々に表出して緊急事態を後続車両の運転者に迅速正確に通知させると同時に、方向表示によって後続車両が変更して走行すべき車線を指示して、車両の運転者がより安全且つ迅速に緊急事態に対処できるようにした自動車通知情報板を提供することにある。
【課題を解決するための手段】
【００１１】
前記目的を達成するための本考案は、ブロック状からなり、前面が開口される収容空間を備えるとともに、周りに沿って固定ブラケットが設けられたケーシングと、前記ケーシングの開口に配置されるように収容空間に備えられ、前記ケーシングから外部に広がるように開閉可能に設けられ、自動車のバッテリーから電源の印加を受けて広がった状態で方向表示のための図形及び文字の表出が可能となるようにＬＥＤモジュールが備えられた通知板と、前記通知板に図形及び文字が点滅するように表出され得る内容を入力することができる入力キーパッドと、を含み、前記通知板から表出される図形及び文字は、方向を指示できるように‘矢印形状’の図形が左側あるいは右側を指すように表出されるとともに、前記矢印形状の図形の一側に‘事故’あるいは‘故障’のいずれかの文字が０．５秒の周期で点滅するように表出され、外部から見た時、注目を集めることができるようにして、緊急事態を後続車両の運転者に通知させることが好ましい。
【００１２】
前記通知板は、前記ケーシングの収容空間に収容されるとともに広がるように少なくとも２つ以上の通知板体が折りたたみ可能にヒンジで結合され、前記ヒンジで結合される折りたたみ部位には係止部が形成され、２つ以上の通知板体が広がった状態で係止部が互いに接触して広がった状態を維持するようにすることが好ましい。
【００１３】
前記ケーシングの収容空間に前記通知板が折りたたまれて収容された状態を維持するように通知板をロックすることができるロック部が備えられ、前記ロック部を解除して前記通知板が広がるように開放させることができる操作ボタンが備えられ、前記操作ボタンは、前記ロック部に隣接するように備えられ手動で操作したり、あるいは車両の運転席の近方に位置されるように備えられて無線あるいは有線によって自動に操作するようになることが好ましい。
【００１４】
前記ケーシングの内部には、後続車両に無線で事故か否かを通知させることができる無線通信部を備え、前記無線通信部は、後続車両を検出して、ラジオ放送を通じて後続車両に緊急事態を伝達すると同時に、警告命令を出力する第１デバイスと、前記第１デバイスから無線通信を介して警告命令の伝達を受けて後続車両が接近中であることを警告する第２デバイスと、からなり、前記第１デバイスは、後続車両を検出する車両検出モジュールと、ラジオ放送で事故の事実を伝達するラジオ送出部と、第２デバイスに警告命令を伝達する無線送信部と、前記車両検出モジュールを介して後続車両を検出し、前記ラジオ送出部を通じてラジオ放送で後続車両に事故の事実を伝達し、前記警告命令を無線送信部を通じて第２デバイスに伝達する第１制御部と、を含むが、前記車両検出モジュールは、電磁波を放射する送信アンテナと、前記送信アンテナから放射され、前記後続車両によって反射した電磁波を受信する受信アンテナと、前記送信アンテナを介して放射され、前記受信アンテナを介して受信された電磁波を信号処理して後続車両に対する検出情報を生成する検出部と、からなり、前記第２デバイスは、前記第１デバイスから警告命令を受信する無線受信部と、後続車両が接近中であることを警告する警告出力部と、前記第１デバイスから無線通信で警告命令の伝達を受けると、警告出力部を制御して、後続車両が接近中であることを警告する第２制御部と、を含むが、前記警告出力部は、音声あるいは通知板を介してメッセージが表出されるようにすることが好ましい。
【００１５】
前記検出情報は、後続車両との距離及び後続車両の速度を含むことが好ましい。
【００１６】
前記第１制御部は、前記検出情報を前記ラジオ送出部を介して前記後続車両に伝達して後続車両に事故の事実を伝達することが好ましい。
【考案の効果】
【００１７】
本考案による自動車通知情報板によれば、自動車の故障や事故時に自動車のトランクを開けて方向表示のための図形及び文字などを様々に表出して緊急事態を通知すると同時に、方向標識によって後続車両が変更して走行すべき車線を通知することによって、後続車両の運転者がより安全且つ迅速に緊急事態に対処できる効果がある。
【図面の簡単な説明】
【００１８】
【図１】本考案による自動車通知情報板を示した斜視図である。
【図２】本考案による自動車通知情報板の背面を示した斜視図である。
【図３】本考案による自動車通知情報板に備えられる通知板を広がるように作動させる例を示した図である。
【図４】図３に示した“Ａ”部に対する拡大図である。
【図５】本考案による自動車通知情報板によって図形及び文字が表出される様々な例を示した図である。
【図６】本考案による自動車通知情報板によって図形及び文字が表出される様々な例を示した図である。
【図７】本考案による自動車通知情報板に備えられる無線通信部のブロック図である。
【考案を実施するための形態】
【００１９】
以下では、添付された図面を参考して本考案による好ましい実施例をより詳細に説明することにする。
【００２０】
本考案の説明に先立って、以下の特定の構造ないし機能的説明などは、単に本考案の概念による実施例を説明するための目的として例示されたものであって、本考案の概念による実施例などは、様々な形態で実施されることができ、本明細書に説明された実施例などに限定されるものとして解釈されてはいけない。
【００２１】
また、本考案の概念による実施例は、様々な変更を加えることができ、様々な形態を持つことができるので、特定の実施例などを図面に例示し、本明細書に詳細に説明している。しかし、これは本考案の概念による実施例などを特定の開示形態に限定しようとするものではなく、本考案の思想及び技術範囲に含まれるすべての変更物、均等物ないし代替物を含むことに理解されるべきである。
【００２２】
添付された図１は、本考案による自動車通知情報板を示した斜視図であり、図２は、本考案による自動車通知情報板の背面を示した斜視図であり、図３は、本考案による自動車通知情報板に備えられる通知板を広がるように作動させる例を示した図であり、図４は、図３に示した“Ａ”部に対する拡大図であり、図５〜図６は、本考案による自動車通知情報板によって図形及び文字が表出される様々な例を示した図であり、図７は、本考案による自動車通知情報板に備えられる無線通信部のブロック図である。
【００２３】
これらの図に示されているように、本考案による自動車通知情報板は、自動車に付着して使用する安全用品の一つであって、通常、自動車のトランクリッドあるいは貨物自動車の後方部位に設けて、自動車の故障や事故時に自動車のトランクを開けて方向表示のための図形及び文字などを様々に表出して緊急事態を後続車両の運転者に通知させることができるものであって、ケーシング１１０と通知板１２０及び入力キーパッド１３０に大別される。
【００２４】
示されたように、本考案による自動車通知情報板に備えられるケーシング１１０は、ブロック状からなり、前面が開口される収容空間を備えるとともに、ケーシング１１０の外周面の周りに沿って固定ブラケット１１２が設けられる。
【００２５】
このようなケーシング１１０は、前記固定ブラケット１１２を用いて、乗用車の場合には、トランクリッドに固定して設けることができ、乗合車あるいは貨物車の場合には、車両の後方に固定して設けることができる。すなわち、前記固定ブラケット１１２に固定孔が貫通されるように形成されて固定ねじ（図示せず）を用いて固定設けることができる。
【００２６】
この時、前記固定ブラケット１１２によって固定されるケーシング１１０とトランクリッドとの間には、緩衝パッド１１４が設けられるのが好ましく、このような緩衝パッド１１４によって前記ケーシング１１０が車両に固定設けられた状態で車両の運行中に加えられる外部衝撃から安全に保護して、前記ケーシング１１０内に設けられる通知板１２０などの寿命を延長させることができる。
【００２７】
このような緩衝パッド１１４は、防振ゴムあるいはシリコーン材質からなることができる。
【００２８】
示されたように、本考案による自動車通知情報板に備えられる通知板１２０は、前記ケーシング１１０の開口に配置されるように収容空間に備えられて、前記ケーシング１１０から外部に広がるように開閉可能に設けられる。
【００２９】
このような前記通知板１２０は、広がった状態で方向表示のための図形及び文字の表出が可能となるようにＬＥＤモジュールが内部に備えられる。すなわち、前記通知板が広がった状態でＬＥＤモジュールによって必要とする図形あるいは文字を表出して緊急事態を通知させることができる。この時、前記通知板１２０から表出される図形あるいは文字は、前記ＬＥＤモジュールによって０．５秒の周期で点滅するように表出され、外部から見た時、注目を集めることができるようにすることが好ましい。ここで、前記ＬＥＤモジュールは、通常の技術である。
【００３０】
このように前記通知板１２０から表出される図形及び文字は、方向を指示できるように‘矢印形状’の図形が左側あるいは右側を指すように表出されるとともに、前記矢印形状の図形の一側に‘事故’あるいは‘故障’のいずれかの文字が表出されるようにして、すなわち、ＬＥＤモジュールによって通知板から０．５秒の周期で図形あるいは文字が点滅するように表出され、外部から見た時、注目を集めることができるようにすることによって、緊急事態を後続車両の運転者に通知させることが好ましい。
【００３１】
本考案によれば、前記通知板１２０から矢印形状の図形で後続車両が変更して走行すべき車線を指示することにより、後続車両の運転者がより安全且つ迅速に緊急事態に対処できるようにすることができる。
【００３２】
また、前記通知板１２０は、ケーシング１１０の収容空間に収容されるとともに広がるように少なくとも２つ以上の通知板体１２２ａ、１２２ｂが折りたたみ可能にヒンジ１２４で結合されるように構成され得る。この時、前記ヒンジ１２４で結合される折りたたみ部位には、係止部１２６が形成されて、２つ以上の通知板体１２２ａ、１２２ｂが広がった状態で係止部１２６が互いにかかって広がった状態を維持するようにすることができる。
【００３３】
このように、少なくとも２つ以上の通知板体１２２ａ、１２２ｂで通知板１２０を構成するようになれば、通知板１２０から表出される図形及び文字を相対的に大きくすることができて、後続車両がより容易に前方車両の緊急事態を迅速正確に認知して対処できることにより、安全運転を図ることができる。
【００３４】
また、前記通知板１２０から図形及び文字の表出が可能となるように、自動車のバッテリーから電源が供給されるように設けられる。この時、電源供給は、前記ケーシング１１０から通知板１２０が広がる瞬間に電源が供給されるように前記ケーシング１１０と通知板１２０との対応部位に電源スイッチが備えられることが好ましい。すなわち、前記電源スイッチは、通知板１２０が折りたたまれてケーシング１１０に収容された状態で、通知板１２０の広がるとき、電源スイッチが作動して電源が供給されるようにすることが好ましい。
【００３５】
示されたように、本考案による自動車通知情報板に備えられる入力キーパッド１３０は、前記通知板１２０から図形及び文字が点滅するように表出され得る内容を入力できるようにする。
【００３６】
このような入力キーパッド１３０は、通常のキーボードからなることもでき、または前記通知板１２０の一側にボタンなどを設けてなすこともできる。
【００３７】
示されたように、本考案による自動車通知情報板には、ロック部１４０及びロック部１４０を解除するための操作ボタン１４２が備えられることが好ましい。
【００３８】
前記ロック部１４０は、ケーシング１１０の収容空間に通知板１２０が折りたたまれて収容された状態を維持するように通知板をロックすることができるようにするものであって、このようなロック部１４０の構成は、通常、車両のトランクあるいは自動車ドアなどに使用する構成を用いることができる。
【００３９】
また、前記操作ボタン１４２は、ロック部１４０を解除して、前記通知板が広がるように開放させることができるようにするものであって、このような操作ボタン１４２は、前記ロック部１４０に隣接するように備えられて手動で操作したり、あるいは車両の運転席の近方に位置されるように備えられて、無線あるいは有線によって自動に操作するように設けることができる。
【００４０】
この時、前記操作ボタン１４２が運転席の近方に位置されるように設けられた状態でロック部が解除されるようにする構成は、通常の技術であり、これを簡単に説明すると、前記ロック部１４０がモーターによって駆動されるようにし、前記モーターは、操作ボタンの操作によって作動するように構成すれば良い。
【００４１】
示されたように、本考案による通知情報板には、前記ケーシング１１０の内部に設けられて、後続車両に無線で事故か否かを通知させることができる無線通信部２００を備えることが好ましい。
【００４２】
このような前記無線通信部２００は、後続車両を検出してラジオ放送を通じて後続車両に緊急事態を伝達すると同時に、警告命令を出力する第１デバイス２１０と、前記第１デバイス２１０から無線通信を介して警告命令の伝達を受けて、後続車両が接近中であることを警告する第２デバイス２２０と、からなることが好ましい。
【００４３】
前記第１デバイス２１０は、車両の緊急事態が発生した時、後続車両を検出して、ラジオ放送を通じて後続車両に事故の事実を伝達し、第２デバイス２２０に警告命令を伝達する。
【００４４】
このような第１デバイス２１０は、車両検出モジュール２１２と、ラジオ送出部２１４と、無線送信部２１６と、第１制御部２１８と、を含むことが好ましい。
【００４５】
前記車両検出モジュール２１２は、後続車両を検出するものであって、レーダーセンサーなどが用いられる。このような車両検出モジュール２１２は、送信アンテナ２１２ａと、受信アンテナ２１２ｂと、及び検出部２１２ｃと、を含むことが好ましい。
【００４６】
また、送信アンテナ２１２ａは、電磁波を放射し、車両の後方などに設けられて電磁波を放射することにより、後方から接近中である後続車両を検出できるようにする。
【００４７】
一方、受信アンテナ２１２ｂは、送信アンテナ２１２ａによって放射され、後続車両によって反射した電磁波を受信する。
【００４８】
ここで、送信アンテナ２１２ａと受信アンテナ２１２ｂは、一つのモジュールの内部に一体型で設けられることができる。
【００４９】
前記検出部２１２ｃは、送信アンテナ２１２ａを介して放射され、受信アンテナ２１２ｂを介して受信された電磁波を信号処理して後続車両に対する検出情報を獲得する。
【００５０】
このような検出情報には、後続車両が存在するか否か、後続車両との距離、及び後続車両の速度などを含むことができる。
【００５１】
ここで、レーダー変調方式としては、周波数連続変調方式（Ｆｒｅｑｕｅｎｃｙ  Ｍｏｄｕｌａｔｉｏｎ  Ｃｏｎｔｉｎｏｕｓ  Ｗａｖｅ；ＦＭＣＷ）、またはパルス変調方式（Ｐｕｌｓｅ  Ｍｏｄｕｌａｔｉｏｎ）などが採用され得る。
【００５２】
また、前記ラジオ送出部２１４は、ラジオ放送で車両の緊急事態を伝達する。このようなラジオ送出部２１４は、その出力を制御して、緊急車両から一定の距離以上まで事故の事実を伝達する。
【００５３】
一方、前記ラジオ送出部２１４は、車両の緊急事態をＦＭラジオが受信できる様々な周波数チャンネル、例えば、ＦＭ８８．０ＭＨｚまたは８８．２ＭＨｚなどで伝達できるようにすることが好ましい。
【００５４】
従って、後続車両の運転者は、後続車両に設けられたラジオなどを通じて前方の緊急事態の事実を認知することができ、これにより、安全運転を図ることができ、２次事故を予防することができる。
【００５５】
また、無線送信部２１６は、第１制御部２１８の制御信号によって第２デバイス２２０に警告命令を伝達する。
【００５６】
ここで、無線送信部２１６は、前記した警告命令を第２デバイス２２０に様々な通信網を介して伝達することができ、この場合、通信網としては、Ｂｌｕｅｔｏｏｔｈ（登録商標）、Ｗｉ−Ｆｉ、３Ｇ、ＬＴＥなどのように様々な通信網が活用され得る。
【００５７】
また、第１制御部２１８は、前記車両検出モジュール２１２を介して後続車両を検出し、前記ラジオ送出部２１４を介してラジオ放送で後続車両に事故の事実を伝達し、警告命令を無線送信部２１６を介して第２デバイス２２０に伝達する。
【００５８】
この時、前記第１制御部２１８は、車両検出モジュール２１２を介して後続車両が検出されると、検出情報によってラジオ送出部２１４を介して後続車両に事故の事実を伝達する。
【００５９】
また、前記第２デバイス２２０は、無線受信部２２２と、警告出力部２２４と、第２制御部２２６と、を含むことが好ましい。
【００６０】
前記無線受信部２２２は、第１デバイス２１０の無線送信部２１６から警告命令の伝達を受ける。
【００６１】
前記警告出力部２２４は、緊急事態の車両の運転者に後続車両が接近中であることを警告する。すなわち、前記警告出力部２２４によって後続車両が接近中であることを案内する音声が出力されるようにすることができる。
【００６２】
ここで、後続車両が接近中であることを案内する音声は、前記警告命令に含まれている検出情報を含むことができる。
【００６３】
また、後続車両が接近中であることを前記通知板１２０を通じても表出されるようにすることができる。すなわち、通知板１２０から図形あるいは文字が表出されるとき、後続車両の接近警告文字が相互交互に表出されるようにしたり、通知板が区画され、一部の上では、後続車両の案内のための矢印及び文字が表出され、他の一部の上では、警告メッセージが表出されるようにすることもできる。
【００６４】
従って、事故車両の運転者は、後続車両の速度及び後続車両との距離などを認知するか、または音声を介して後続車両が接近中であることの案内を受けることができる。
【００６５】
前記第２制御部２２８は、無線受信部２２２を介して警告命令の伝達を受け、この警告命令に応じて、警告出力部２２４を制御して事故車両の運転者に後方から車両が接近中であることを警告する。
【００６６】
この場合、第２制御部２２６は、後続車両との距離及び後続車両の速度などを出力するか、または音声で通知することができる。
【００６７】
このような無線通信部２００による作用を説明すると、前記第１デバイス２１０の第１制御部２１８は、車両検出モジュール２１２を制御して後続車両を検出する。すなわち、車両検出モジュール２１２の送信アンテナ２１２ａが電磁波を放射し、受信アンテナ２１２ｂが送信アンテナ２１２ａによって放射され、後続車両によって反射した電磁波を受信し、この時、検出部２１２ｃは、受信アンテナ２１２ｂを介して受信された電磁波を信号処理して後続車両に対する検出情報を生成する。
【００６８】
この場合、検出情報には、後続車両が存在するか否か、後続車両との距離、及び後続車両の速度を含むことができる。
【００６９】
次いで、前記第１デバイス２１０の第１制御部２１８は、ラジオ送出部２１４を制御して、放送周波数チャンネルを介して後続車両に事故の事実を放送する。この時、ラジオ送出部２１４は、出力を調節して、事故車両から一定の距離以上まで事故の事実を伝達することができ、放送周波数チャンネルとしては、ＦＭ８８．０ＭＨｚまたは８８．２ＭＨｚなどを利用することができる。
【００７０】
この時、後続車両のラジオ受信機では、事故車両との距離及び後続車両の速度などが出力されたり、または前方に事故車両があることを案内する文字やイメージまたは音声などが出力される通知板１２０を視認することができる。
【００７１】
これにより、後続車両の運転者は、後続車両に設けられたラジオ受信機などを介して前方の車両事故を認知することができ、これにより、事故車両、及び事故車両の運転者を回避することができ、２次事故を防止することができる。
【００７２】
次いで、前記第１デバイス２１０の第１制御部２１８は、無線送信部２１６を制御して第２デバイス２２０の無線受信部２２２に警告命令を伝達する。
【００７３】
これにより、前記第２デバイス２２０の無線受信部２２２は、第１デバイス２１０の無線送信部２１６から警告命令の伝達を受け、前記第２デバイス２２０の第２制御部２２６は、該警告命令に応じて、警告出力部２２４を介して事故車両の運転者に後続車両が接近中であることを音声などを介して警告する。
【００７４】
本考案によれば、自動車の故障や事故時に自動車のトランクを開けて方向表示のための図形及び文字などを様々に表出して緊急事態を通知させると同時に、方向標識によって後続車両が変更して走行すべき車線を通知させることができ、また、無線通信を介して後続車両の運転者にラジオ放送などを通じても通知させることができることにより、後続車両の運転者がより安全且つ迅速に緊急事態に対処して安全運転を図ることができる。
【００７５】
以上のような技術的な構成により、本考案の技術的課題が達成されるものであり、上記実施例の説明では限定した実施例と図面によって説明したが、これに限定されず、本考案の属する技術分野における通常の知識を有する者によって極めて容易に本考案の技術思想と以下に記載される実用新案登録請求の範囲と均等な範囲内で様々な修正及び変形が可能なものであることは勿論である。
【符号の説明】
【００７６】
１１０    ケーシング
１２０    通知板
１３０    入力キーパッド
２００    無線通信部
【図１】
0003211747.tif 000003
【図２】
0003211747.tif 000004
【図３】
0003211747.tif 000005
【図４】
0003211747.tif 000006
【図５】
0003211747.tif 000007
【図６】
0003211747.tif 000008
【図７】
0003211747.tif 000009